(57)【要約】【課題】個人情報漏洩を防ぐことができ、盗難等があった場合にも購入履歴などにより追跡が可能で、購入者にも平易な使用が可能で、販売店などの処理速度を向上できる商品購入システムの提供をする。【解決手段】レジスターと、空中伝搬信号を介してレジスターとの通信が可能で電子マネーと商品情報が記憶可能な記憶手段を備えたＩＣタグを収納する携帯電話装置とで構成され、携帯電話装置が未精算の商品情報を商品用ＩＣタグより受信する手段と、携帯電話装置が電子マネーを外部から入金する手段と、携帯電話装置が商品情報受信手段により得た商品情報をレジスターに送信する手段と、レジスターが精算手段と、レジスターが精算金額を電子マネーで決済する手段と、携帯電話装置が決済後も精算済みの商品情報を記憶する精算済み商品情報記憶手段とを備える商品購入システムを提供する。【選択図】図１
2005267165.tif 000002
【特許請求の範囲】
【請求項１】
レジスターと、
空中伝搬信号を介して前記レジスターとの通信が可能で、電子マネーと商品情報が記憶可能な記憶手段を備えたＩＣタグを収納する携帯電話装置とで構成される商品購入システムにおいて、
前記携帯電話装置が未精算の商品情報を商品用ＩＣタグより受信する商品情報受信手段を備え、
前記携帯電話装置が電子マネーを外部から入金する入金手段を備え、
前記携帯電話装置が前記商品情報受信手段により得た商品情報をレジスターに送信する送信手段を備え、
前記レジスターが精算手段を備え、
前記レジスターが精算金額を前記電子マネーで決済する決済手段を備え、
前記携帯電話装置が決済後も精算済みの商品情報を記憶する精算済み商品情報記憶手段を備え、
ることを特徴とする商品購入システム。
【請求項２】
請求項１記載の商品購入システムにおいて、
前記送信手段における商品情報が精算と売上管理に必要な商品情報からなり、
精算済み商品情報記憶手段の精算済みの商品情報が購入者が利用できる情報と購入確認情報からなっていることを特徴とする商品購入システム。
【請求項３】
レジスターと、
空中伝搬信号を介して前記レジスターとの通信が可能で、電子マネーと商品情報が記憶可能な記憶手段を備えたＩＣタグを収納する携帯電話装置とで構成される商品購入システムにおいて、
前記レジスターが未精算の商品情報を商品用ＩＣタグより受信する商品情報受信手段を備え、
前記携帯電話装置が電子マネーを外部から入金する入金手段を備え、
前記レジスターが精算手段を備え、
前記レジスターが精算金額を前記電子マネーで決済する決済手段を備え、
前記携帯電話装置が精算済みの商品情報をレジスターから受信する精算済み商品情報受信手段を備え、
前記携帯電話装置が決済後も精算済みの商品情報を記憶する精算済み商品情報記憶手段を備え、
ることを特徴とする商品購入システム。
【請求項４】
請求項３記載の商品購入システムにおいて、
前記精算済み商品情報受信手段における商品情報が購入者が利用できる情報と購入確認情報からなっていることを特徴とする商品購入システム。
【請求項５】
前記携帯電話装置が、セキュリティー手段をさらに持つことを特徴とする請求項１から４何れかに記載の商品購入システム。
【発明の詳細な説明】
【技術分野】
【０００１】
本発明は、コンビニエンスストアーやスーパーマーケットの様なセルフサービス形式を主体とした様な各種小売店における携帯電話を用いて仮想的通貨価値である電子マネーを用いた商品購入システムに関する。
【背景技術】
【０００２】
現在、クレジットカード、デビットカード、プリペイドカード等を用いて現金を用いることなく支払いを行うことができ、大変便利である。また、電子マネーの出現により電子財布を用いて決済を行うことも現実的になってきている。しかしながら、複数の決済手段を採用して複数のカードや機器を携帯することは煩雑であり、また暗証番号等の管理も面倒である。
【０００３】
ところで、近年、携帯電話機（例えばＰＤＣ方式の携帯電話、ＰＨＳ簡易携帯電話等の移動体通信の移動局）等の携帯型通信装置の普及が目覚しい。最近の携帯電話機は、小型、軽量であり、いつでも、どこでも通話を行えることから、やがて各自が１台以上の携帯型通信装置を保持するようになると予想される。
【０００４】
そこで、携帯型通信装置を用いて決済を行う技術ならびに本人認証を行う技術を提供することを目的とし、特許文献１の様な技術が考えられた。それは、携帯電話機を用いて簡易に支払を行なえるように、支払時にまず通信で本人認証を行ない、さらに、支払金額を入力し支払ボタンを操作して支払処理を行う。これに応じて支払金額および電話番号のデータが赤外線送受信モジュールを介してＰＯＳ端末の赤外線インタフェース装置信される。このデータは決済センタ２０に送られ支払履歴として記録され、応答がＰＯＳ端末に戻り、店舗側で決済処理が記録処理される。
【０００５】
また、特許文献２の様に即座に携帯端末を用いた代金の決済方法においては、特許文献２に記載されている様に、利用者の注文情報を非接触ＩＣカード部内に保存し、店舗端末（レジスター）にかざした時点で代金の決済を行う方法も知られている。
【０００６】
特許文献は以下の通り。
【特許文献１】特開２００１−３５１０３２号公報
【特許文献２】特開２００１−２０７６５５号公報
【発明の開示】
【発明が解決しようとする課題】
【０００７】
特許文献１の様な従来技術では、本人画像等の個人情報が通信されることとなり、セキュリティー上問題があった。また、本人認証には必ず決済センター等と交信する必要性があった。
【０００８】
また、特許文献２のような従来例では、ＩＣカード自体にカードの個人情報が含まれているために、カードの盗難やスキミングにより、購入者の個人情報漏洩を防ぐことができなく、また、購買履歴の様な情報がないために不正使用した場合に購入実績の追跡などが困難であったという欠点があった。
【０００９】
本発明は、このような従来の技術における課題を解決するものであり、購入者の個人情報漏洩を防ぐことができ、盗難等があった場合にも購入履歴などにより追跡が可能で、しかも利用者にも平易な使用が可能で、しかも販売店などの処理速度を向上できる商品購入システムの提供を目的とする。
【課題を解決するための手段】
【００１０】
上記課題を解決する為に、まず本発明の第１の発明は、
レジスターと、
空中伝搬信号を介して前記レジスターとの通信が可能で、電子マネーと商品情報が記憶可能な記憶手段を備えたＩＣタグを収納する携帯電話装置とで構成される商品購入システムにおいて、
前記携帯電話装置が未精算の商品情報を商品用ＩＣタグより受信する商品情報受信手段を備え、
前記携帯電話装置が電子マネーを外部から入金する入金手段を備え、
前記携帯電話装置が前記商品情報受信手段により得た商品情報をレジスターに送信する送信手段を備え、
前記レジスターが精算手段を備え、
前記レジスターが精算金額を前記電子マネーで決済する決済手段を備え、
前記携帯電話装置が決済後も精算済みの商品情報を記憶する精算済み商品情報記憶手段を備え、
ることを特徴とする商品購入システムを提供するものである。
【００１１】
また、本発明の第２の発明は、請求項１記載の商品購入システムにおいて、
前記送信手段における商品情報が精算と売上管理に必要な商品情報からなり、
精算済み商品情報記憶手段の精算済みの商品情報が購入者が利用できる情報と購入確認情報からなっていることを特徴とする商品購入システムを提供するものである。
【００１２】
また、本発明の第３の発明は、レジスターと、
空中伝搬信号を介して前記レジスターとの通信が可能で、電子マネーと商品情報が記憶可能な記憶手段を備えたＩＣタグを収納する携帯電話装置とで構成される商品購入システムにおいて、
前記レジスターが未精算の商品情報を商品用ＩＣタグより受信する商品情報受信手段を備え、
前記携帯電話装置が電子マネーを外部から入金する入金手段を備え、
前記レジスターが精算手段を備え、
前記レジスターが精算金額を前記電子マネーで決済する決済手段を備え、
前記携帯電話装置が精算済みの商品情報をレジスターから受信する精算済み商品情報受信手段を備え、
前記携帯電話装置が決済後も精算済みの商品情報を記憶する精算済み商品情報記憶手段を備え、
ることを特徴とする商品購入システムを提供するものである。
【００１３】
また、本発明の第４の発明は、請求項３記載の商品購入システムにおいて、
前記精算済み商品情報受信手段における商品情報が購入者が利用できる情報と購入確認情報からなっていることを特徴とする商品購入システムを提供するものである。
【００１４】
また、本発明の第５の発明は、前記携帯電話装置が、セキュリティー手段をさらに持つことを特徴とする請求項１から４何れかに記載の商品購入システムを提供するものである。
【発明の効果】
【００１５】
以上の説明から明らかなように、本発明の商品購入システムによれば、購入者の個人情報漏洩を防ぐことができ、盗難等があった場合にも購入履歴などにより追跡が可能で、しかも利用者にも平易な使用が可能で、しかも販売店などの処理速度を向上できる商品購入システムの提供が可能になる。
【発明を実施するための最良の形態】
【００１６】
各種の実施例を用いて発明を実施するための最良の形態を説明する
（第１実施例）
以下、本発明の第１実施例について図１乃至図４を参照して説明する。商品購入システム全体の構成を示す図１において、本実施例のシステムは、レジスター１１，携帯電話装置１２及びその携帯電話装置１２に収納されるＩＣタグ１３，携帯電話装置１２と基地局１４を介して通信を行う電子マネー販売センター１５で構成される。携帯電話装置１２は、図２に示すように、ケース１６の底部側にＩＣタグ１３（ＩＣカードと同様の外形である）を収納するためのスロット１６ａを有している。そして、ＩＣタグ１３は、携帯電話装置１２に収納されると、表面に配置されているコンタクト１３ａによって内部の電気的構成と接続されるようになっている。
【００１７】
携帯電話装置１２は、携帯電話装置本来の機能をなすための電話部１２ａを備えており、その電話部１２ａは、概略的に、例えば８００ＭＨｚ帯で基地局１４と通信を行うためのＲＦ部１７，マイクロコンピュータを中心として構成される制御部１８及びこれらに動作用電源を供給するための電源部１００とで構成されている。
【００１８】
一方、ＩＣタグ１３は、同様にマイクロコンピュータを中心として構成される制御部１９，通信データ記憶用のメモリー（記憶手段）２０，通信用の受信系２１及び送信系２２等を備えている。これらの受信系２１及び送信系２２は、制御部１９が、レジスター１１側に収納されている制御部２３と、送信系２４及び受信系２５を介して例えば無線信号（空中伝搬信号）により通信を行うための構成である。
【００１９】
また、ＩＣタグ１３は、電力作成部２６を備えている。この電力作成部２６は、レジスター１１側の送信系２４より送信される信号を受信系２１とは別系統で受信して低域濾波し平滑化することにより、制御部１９などを動作させるための電力を作成して供給するようになっている。
【００２０】
尚、電話部１２ａの電源部１００は、後述するように、電話部１２ａの制御部１８がＩＣタグ１３のメモリー２０に対してデータの書き込み処理を行う場合にだけ、コンタクト１３ａを介してＩＣタグ１３にも動作用電源を供給するようになっている。
【００２１】
次に、本実施例の作用について図３及び図４をも参照して説明する。図３は、商品購入システムを利用する前の段階において、システムのユーザが携帯電話装置１２により電子マネーを購買する場合の処理を示すフローチャートである。ユーザは、先ず、電子マネー販売センター（以下、販売センターと称す）１５の電話番号に発呼する（ステップＡ１）。すると、販売センター１５側のサーバ等（例えば、インターネット上のＷｅｂサーバでも良い）より携帯電話装置１２に対してデータがダウンロードされ、携帯電話装置１２のディスプレイ１２ｂには、電子マネー購入用の画面が表示される（ステップＡ２）。
【００２２】
続いて、ユーザは、購入する電子マネーの金種を適宜選択すると（ステップＡ３）、その選択したチケットを購入する場合は（ステップＡ４，「ＹＥＳ」）、携帯電話装置１２の制御部１８がもう１度その内容をユーザに確認させる（ステップＡ５）。そして、ユーザが再度購入することを選択した場合は（ステップＡ６，「ＹＥＳ」）、制御部１８は、
ＲＦ部１７により販売センター１５側にその旨の通知を行う（ステップＡ７）。
【００２３】
一方、ステップＡ４，Ａ６の何れかにおいてユーザが電子マネーの購入を選択しなかった場合には、制御部１８は、購入を取り止めるかどうかをユーザに確認させる（ステップＡ１０）。そして、ユーザが購入を取り止めた場合は（「ＹＥＳ」）処理を終了し、ユーザが購入するための処理を続行する場合は（「ＮＯ」）ステップＡ２に戻る。
【００２４】
また、ステップＡ７で販売センター１５側に電子マネーの購入の通知を行うと、販売センター１５側より購入の確認情報（電子マネー及び必要に応じてセキュリティ情報を含む）が返信される（ステップＡ８）。すると、制御部１８は、ＩＣタグ１３の制御部１９に電子マネー（及び必要に応じてセキュリティ情報）をコンタクト１３ａ（及び図示しないデータバッファ等）を介して転送し、転送した情報データをメモリー２０に書き込ませると（ステップＡ９）処理を終了する。この購入終了の状況を入金と称する。尚、ステップＡ９におけるデータの書き込み処理を行う場合には、前述のように、電話部１２ａの電源部１００がＩＣタグ１３側に動作用電源の供給を行う。
【００２５】
ここで、電子マネーは、紙幣や硬貨に代わる仮想的な金銭であるが、その価値は実際の金銭と同様に取り扱われるものであるが、どこでも流通するものに限らず、特定の店舗においてのみ流通する様な商品券の代替として使用できる様なものも含む。この様に、その発行形態としては電子マネーを発行し、その信用を維持している銀行などの外部の業者等から供給される電子マネーであればその形態はどの様なものでも構わない。更に、例えば金種が限られている場合は、その金種情報と、割引額を控除した実売価格などである。
【００２６】
尚、電子マネーの購入代金は、例えば、販売センター１５のサーバにアクセスしたことによりその際の通信料金に課金したり、または、銀行の口座番号を販売センター１５に登録して自動引き落としさせたり、ユーザが銀行，郵便局或いはコンビニエンスストアなどにおいて直接振り込むようにさせても良い。
【００２７】
また、ＩＣタグ１３は、電力作成部２６を備えている。この電力作成部２６は、レジスター１１側の送信系２４より送信される信号を受信系２１とは別系統で受信して低域濾波し平滑化することにより、制御部１９などを動作させるための電力を作成して供給するようになっている。
【００２８】
以上のようにして、ユーザが所持する携帯電話装置１２に収納されるＩＣタグ１３のメモリー２０に購入した金額だけの電子マネー情報が書き込まれる、もしくは購入した金額だけ増額されると、ユーザは、その携帯電話装置１２を携帯して目的とする販売店に行き、まず商品情報を携帯電話装置１２で読み取る。
【００２９】
図４は、携帯電話装置１２を携帯したユーザが販売店に設置されているレジスター１１を通過する場合における、レジスター１１とＩＣタグ１３との間で行われる通信シーケンスを示す図である。レジスター１１は、外部に対して間欠的に起動信号を送信しながらＩＣタグ１３より応答が返るまで待機している。尚、起動信号は、何らかのデータ等を送信するために変調された信号ではなく、単にＩＣタグ１３の内部回路に動作用電源を供給するために送信される電波信号である。この場合のレジスター１１は物理的なレジスターとは限らず、ゲートタイプの様な一般的にレジスターであると購入者が認識できない様なものを含むが、要するに商品情報を受け取り、その利用金額だけ電子マネーを減額する精算作業を行うものを示す。従って、一般的には商品情報を保有もしくは送信する機能と、精算が確実に行ったことを確認する機能を有する。
【００３０】
そして、購入者（ユーザ）がレジスター１１に接近し、携帯電話装置１２内部のＩＣタ
グ１３が起動信号を受信すると、その起動信号により電力作成部２６が動作用電源を作成して制御部１９などに供給する。すると、制御部１９が起動してメモリー２０に記憶されている精算前の商品情報と電子マネー残高を読み出し、レジスター１１側に送信するべき情報を送信する。
【００３１】
精算前の商品情報と電子マネーを受信したレジスター１１の制御部２３は、その未精算商品情報を読み取り、また、電子マネーの残高を確認する。そして、その残高が商品を全て購入するのに可能なものである場合、制御部２３は、精算を行い購入金額だけ電子マネーの残高を減らし、もしその残高が商品を全て購入するのに不足な場合は、精算できない旨の表示を行う。この様に、上記ＩＣタグ１３は電子マネーを貨幣の様に取り扱うので、セキュリテイレベルが高いのが一般的である。記憶している商品情報もセキュリテイを施すのが一般的であるが、それ以上のセキュリテイレベルを維持するのが一般的である。
【００３２】
さらに、商品情報は購入者が利用済みの情報を消去できるのが一般的であるのに対し、逆に電子マネーは購入者が自由に操作できない様にするのが一般的であるので、物理的もしくは仮想的に区分けするのが一般的である。
【００３３】
なお、商品用ＩＣタグについても上記ＩＣタグ１３と同様な構成が可能である。商品用ＩＣタグとＩＣタグ１３との交信は、どちらが主導権をとるものでも構わない。なお、この場合商品用タグは商品もしくはそのパッケージに内蔵しているもの、商品に繋がっているもので精算後取り外しののち再利用できるものでも構わないが、店頭表示札に設ける様なものでも構わない。なお、商品用ＩＣタグは上記ＩＣタグ１３ほどのセキュリテイレベルは必要ではないのが一般的である。
【００３４】
ここで読み取られる商品情報は、購入する予定の商品であり、携帯電話装置１２を用いてその商品に付属しているタグ等から読み取ったものである。
【００３５】
なお、送信手段における商品情報は商品用タグの全ての情報を持つものであっても構わないが、集計ではその商品の使用方法等の情報は購入者のみに必要な情報なので、精算と売上管理に必要な商品情報のみを送信するのが一般的である。
【００３６】
同様に、利用者にとって保存しておくのに有用な情報は決済後も記憶している精算済みの商品情報が購入者が利用できる情報と購入確認情報だけなので、全部の商品情報ではなく、これらの情報のみを保存のときの商品情報とするのが一般的である。
【００３７】
この様に、商品情報とは価格、商品名もしくは商品コードなどの様な、精算と売上管理に必要な情報だけではなく、味、カロリー、賞味期限などをの購入者が利用できる情報を含むのが好ましい。さらに、セキュリティ的な利用をするために、購入日時や決済日時と金額の様な購入確認情報を含むのが好ましい。これらの商品情報はメモリー２０に記憶される。また、商品情報は精算前の商品に関する商品情報と、精算済みの商品情報を区別する情報を有する方が好ましい。
【００３８】
この場合、携帯電話装置１２またはＩＣタグ１３に、それらの商品情報を利用するのに便利なソフトウエア、例えばカロリー計算機能等を付加するものでも構わない。
【００３９】
尚、図４に示す通信シーケンスは、図３に示すフローに従ってユーザが一旦ＩＣタグ１３に電子マネーを書き込めば、ＩＣタグ１３を携帯電話装置１２より取り外しユーザがＩＣタグ１３だけを携帯してレジスター１１を通過する場合でも、全く同様に通信が行われることは言うまでもない。
【００４０】
さらに、レジスター１１では商品情報と電子マネーの残高を用いて精算を行い、携帯電話装置１２の内部のＩＣタグ１３に対して精算金額を減算する処理、並びに、商品情報を未精算商品情報から精算済み商品情報に変更する決済処理を、携帯電話装置１２の制御部１８がＩＣタグ１３のメモリー２０を変更することによって行うようにした。
【００４１】
この場合、決済処理は現金の授受と同様な効果があるため、セキュリティ上特に配慮が必要であり、事故が起きない様に通信の暗号化等の他、携帯電話装置１２の内部のＩＣタグ１３の内部の電子マネーの残高とレジスター１１で認識している電子マネーの残高の一貫性については返信信号などにより確実に保証される必要がある。
【００４２】
以上のように本実施例によれば、携帯電話装置１２の内部にＩＣタグ１３を収納して、そのＩＣタグ１３を、レジスター１１より送信される起動信号によって動作用電力の供給を受けてレジスター１１との通信が可能となるように構成した。
【００４３】
また、ユーザが、携帯電話装置１２によって販売センター１５と通信等を行うことで、電子マネーを取得すると、携帯電話装置１２の制御部１８が電子マネーをＩＣタグ１３のメモリー２０に書き込むようにした。
【００４４】
さらに、ユーザが、予め商品情報を取り込み、レジスター１１等でに対応する電子マネーを用いて精算すると、携帯電話装置１２の制御部１８が電子マネーをＩＣタグ１３のメモリー２０に書き込むようにした。
【００４５】
従って、ユーザは、従来のように商品を購入するためにレジスター待ちの様な長時間並ぶ必要はなく、容易に利用することができる。また、携帯電話装置１２の電源が投入されていない状態でも、ＩＣタグ１３は、レジスター１１より送信される起動信号により動作用電力の供給を受けて独立に動作できるので、利便性が向上する。また、携帯電話装置１２のバッテリの消耗を抑制することもできる。さらに、精算後も精算済みの商品情報を自動的に保持できているので、賞味期限管理、カロリー管理、電子家計簿の他、紛失した場合の記録の追跡などが容易に行える。このためには、修正が不可能か困難、もしくは修正履歴を残す様な仕組みがＩＣタグ１３に残すのが好ましい。
【００４６】
この様に、ＩＣタグ１３にセキュリティ機能を設けるのが好ましいが、そのセキュリティ機能は単独で働くもの、携帯電話機を用いて働くものであっても構わないし、その操作の一部もしくは全部にセキュリティ機能を設けるものでも、その記憶手段の一部もしくはその全部にセキュリティ機能を設けるものでも良く、さらにそのセキュリティ機能は指紋認証方式や暗証番号など、各種方式を採用することができ、さらにその種類をセキュリティ機能別に変化させるのも一般的である。
【００４７】
（第２実施例）
第１実施例と異なるところのみ以下説明する。図５は本発明の第２実施例を示すものである。第２実施例の構成は、基本的に第１実施例と同様であるが、ユーザが携帯電話装置１２により販売センター１５に電話して、販売センター１５のオペレータと通話することで電子マネーを取得する部分が異なっている。以下、その部分を図５を参照して説明する。
【００４８】
ユーザは、先ず、販売センター１５に電話し（ステップＢ１）、販売センター１５のオペレータに購入したい金額を伝える（ステップＢ２）。すると、オペレータは、そのチケットの購入金額を確認し（ステップＢ３）、続いてその金額を購入する残高が口座にあるかチケットがあるかどうかをも確認する（ステップＢ４）。購入するだけの残高がある場合（「有る」）、オペレータはユーザに当該購入内容を確認するための問い合わせを行う
（ステップＢ５）。
【００４９】
ユーザがチケットを購入する場合（「購入」）、オペレータはユーザに購入額の再確認する（ステップＢ６）。
【００５０】
ユーザが、再確認をオペレータに伝えると（ステップＢ７）、オペレータは、ユーザの購入情報（及び必要に応じてセキュリティ情報）並びに電子マネーの購入情報をサーバ等に登録し（ステップＢ８）、ユーザが指定した金額に応じた処理を行う（ステップＢ９）。それから、オペレータは、電子マネーの購入情報を携帯電話装置１２に対して送信する（ステップＢ１０）。尚、ここでのチケット購入情報の送信は、通話とは別のデータ通信によって行う。
【００５１】
すると、携帯電話装置１２の制御部１８は、販売センター１５側より送信された電子マネー購入情報をＩＣタグ１３側に転送し、メモリー２０に書き込ませる（ステップＢ１１）。そして、ユーザが電話を切って通話を終了すると（ステップＢ１２）、処理を終了する。
【００５２】
また、ステップＢ４においてユーザが購入を希望した金額に満たないったり（「ない」）、ステップＢ５においてユーザが電子マネーの購入を取り止めた場合は（「購入を止める」）、オペレータはユーザに購入金額を変更するか否かを選択させる（ステップＢ１３）。そして、ユーザが購入金額の変更を選択した場合は（「ＹＥＳ」）ステップＢ２に移行し、他のチケットの購入を選択しなかった場合は（「ＮＯ」）ステップＢ１２に移行する。
【００５３】
以上のように第２実施例によれば、ユーザは、携帯電話装置１２によって販売センター１５のオペレータと通話しながら電子マネーを取得することができるので、第１実施例と同様の効果が得られる。
【００５４】
（第３実施例）
第１実施例と異なるところのみ以下説明する。図６は本発明の第３実施例を示すものであり、第１実施例と同一部分には同一符号を付して説明を省略し、以下異なる部分についてのみ説明する。第３実施例では、携帯電話装置１２Ａの制御部１８Ａは、ＩＣタグ１３Ａの制御部１９を介すことなく、メモリー２０にデータを直接書き込むことができるようになっている。即ち、ＩＣタグ１３Ａが携帯電話装置１２Ａの内部に収納された場合、制御部１８Ａのバスは、コンタクト１３ａを介してＩＣタグ１３Ａ内のバスに接続されるようになっている。そして、この場合、電話部１２ａの電源部１００は、メモリー２０にだけ動作用電源を供給するようになっている。その他の構成は第１実施例と同様である。以上のように構成された第３実施例によれば、第１実施例と同様の効果が得られる。
【００５５】
（第４実施例）
第１実施例と異なるところのみ以下説明する。図１０は本発明の第４実施例を示すものであり、第１実施例と同一部分には同一符号を付して説明を省略し、以下異なる部分についてのみ説明する。第４実施例では、携帯電話装置３１は、Ｂｌｕｅｔｏｏｔｈ通信部３２（以下、スレーブ通信部と称す）を収納している。そして、電話部３１ａの制御部３３は、スレーブ通信部３２を介して外部のマネー端末３４との間でピコネットを形成し無線通信が可能に構成されている。
【００５６】
マネー端末３４は、例えば、コンビニエンスストア，ＣＤショップ或いはキオスクなどに設置されている情報端末であり、来店者が自由に使用できるように開放されている。このマネー端末３４は、販売センター１５と電話回線などを介してオンラインで接続されて
おり、販売センター１５のホスト（図示せず）に保持されている電子マネーをダウンロードできるようになっている。そして、マネー端末３４側もＢｌｕｅｔｏｏｔｈ通信部（以下、マスタ通信部と称す，図示せず）を収納しており、「問い合わせ」のためのＩＱパケットを一定間隔で送信している。
【００５７】
次に、第４実施例の作用について説明する。携帯電話装置３１は、第１実施例と全く同様の方式で販売センター１５より電子マネーを取得することができるが、近くにマネー端末３４が存在する場合には、Ｂｌｕｅｔｏｏｔｈのプロトコルによる無線通信によってマネー端末３４から電子マネーを取得できるようになっている。
【００５８】
即ち、携帯電話装置３１のスレーブ通信部３２は、携帯電話装置３１に電源が投入されていれば常に「待ち受けフェーズ」にある。そして、携帯電話装置３１を所持したユーザがマネー端末３４に近付き、マネー端末３４側のマスタ通信部が送信しているＩＱパケットをスレーブ通信部３２が受信すると、スレーブ通信部３２は、ＦＨＳパケットをマネー端末３４側に送信する（「問い合わせ」）。
【００５９】
そして、マネー端末３４側が受信したＦＨＳパケットによってスレーブ通信部３２を認識し、通信対象として選択すると、マスタ通信部はＩＤパケットを送信する。スレーブ通信部３２がＩＤパケットの受信に対する応答をマスタ通信部に返すと、マスタ通信部は、ＦＨＳパケットをスレーブ通信部３２側に送信する（「呼び出し」）。スレーブ通信部３２は、そのＦＨＳパケットを受信することでマスタ通信部のＢｌｕｅｔｏｏｔｈアドレス及びクロックを知ることができる。以上が同期確立フェーズである。
【００６０】
それから、通信接続フェーズに移行すると、種々の制御パケットを転送する「接続」状態を経ると、「データ転送」においてマスタ−スレーブ間におけるデータパケットの転送が行われる。その内容については、第１実施例において販売センター１５との間で行われた転送内容と同様である。そして、データ転送が終了し、両者間におけるピコネットの通信リンクが切断されると、スレーブ通信部３２は、待ち受けフェーズに移行する。
【００６１】
以上のように第４実施例によれば、携帯電話装置３１の内部にＢｌｕｅｔｏｏｔｈ通信部３２を収納して、外部のマネー端末３４との無線通信によっても電子マネーの取得ができるようにしたので、ユーザは、より柔軟な形態で電子マネーを取得することができる。
【００６２】
（第５実施例）
第１実施例と異なるところのみ以下説明する。図８は本発明の第５実施例を示すものであり、第４実施例と同一部分には同一符号を付して説明を省略し、以下異なる部分についてのみ説明する。第５実施例では、携帯電話装置３５は、第４実施例におけるＢｌｕｅｔｏｏｔｈ通信部３２に代えて、シリアル通信インターフェイスであるＵＳＢ（Ｕｎｉｖｅｒｓａｌ  Ｓｅｒｉａｌ  Ｂｕｓ）通信部３６を収納している。そして、電話部３５ａの制御部３７は、ＵＳＢ通信部３６を介して外部のマネー端末３８（ホスト）との通信が可能に構成されている。即ち、マネー端末３８の内部にも図示しないＵＳＢ通信部が収納されている。そして、マネー端末３８側には、ＵＳＢケーブル３９が用意されており、デバイスたる携帯電話装置３５のＵＳＢ通信部３６がその一端に接続可能となっている。
【００６３】
次に、第５実施例の作用について説明する。携帯電話装置３５を所持したユーザがマネー端末３８に近付き、ＵＳＢケーブル３９の一端を帯電話装置３５のＵＳＢ通信部３６に接続（プラグ・イン）すると、マネー端末３８側は、新たに接続されたデバイスがあることを認識し（アタッチド）、ＵＳＢ通信部３６は、マネー端末３８側より電源供給を受けると共にリセットされる（パワード）。
【００６４】
ＵＳＢ通信部３６は、リセットが解除されると、コンフィギュレーション情報をマネー端末３８側に送信し（デフォルト）、マネー端末３８は、ＵＳＢ通信部３６にデバイスアドレスを割り付ける（アドレス）。そして、マネー端末３８は、ＵＳＢ通信部３６に対してコンフィギュレーション値を設定する（コンフィギュアド）。以上でＵＳＢのプロセスであるエニュメレーションが終了し、デバイスはホストにより使用が可能な状態となる。移行は、ホスト−デバイス間におけるデータパケットの転送が行われる。その内容については、第１実施例において販売センター１５との間で行われた転送内容と同様である。
【００６５】
以上のように第５実施例によれば、携帯電話装置３５のＵＳＢ通信部３６を収納して、外部のマネー端末３８とのシリアル通信によっても電子マネーの取得ができるようにしたので、第４実施例と同様に、ユーザは、より柔軟な形態で電子マネーを取得することができる。
【００６６】
（第６実施例）
第１実施例と異なるところのみ以下説明する。図９及び図１０は本発明の第６実施例を示すものであり、第１実施例と同一部分には同一符号を付して説明を省略し、以下異なる部分についてのみ説明する。第６実施例では、携帯電話装置４０は、ＩＣタグを、ＩＣタグ１３のようなＩＣカードの規格に準拠した形態のものに代えて、メモリーカードの規格に準拠した形態のメモリーカード４１を収納するようにしたものである。
【００６７】
ここでいうメモリーカードとは、例えば、ＳＤメモリー，メモリースティック，マジックゲートメモリースティック，メモリースティックＤＵＯ，マルチメディアカード，セキュアマルチメディアカード，スマートメディア，セキュアスマートメディア，コンパクトフラッシュ（登録商標）等の総称として用いている。そして、メモリーカード４１の内部構成は、第１実施例のＩＣタグ１３と全く同様である。
【００６８】
以上のように構成された第６実施例によれば、メモリーカード４１のメモリー２０に電子マネーを書き込む方式は第１実施例と同様に行われる。そして、一旦電子マネーを書き込めば、そのメモリーカード４１は、ＩＣタグ１３と同様に携帯電話装置４０より取り外して単独で使用することができる。更に、メモリーカード４１は、図１３に示すように、メモリーカードの規格に準拠したスロットを備えている他の製品４２、例えば、時計，ペンダント，ＰＤＡ（Ｐｅｒｓｏｎａｌ  Ｄｉｇｉｔａｌ  Ａｓｓｉｓｔａｎｔｓ），ボイスレコーダ，デジタルカメラ，デジタルビデオカメラ，パソコンなどに挿入した状態で使用することも可能である。
【００６９】
そして、メモリーカード４１は、メモリー２０の容量を適切に設定することで、挿入された製品に対応する本来の補助記憶媒体として、音声，画像，動画，テキスト等の各種データを記憶させることができることは言うまでもない。
【００７０】
以上のように構成された第６実施例によれば、ＩＣタグを、メモリーカード４１としたので、メモリーカードに対応したスロットを備えた他の製品４２に挿入してより多様な形態で使用することができる。
【００７１】
（第７実施例）
第１実施例と異なるところのみ以下説明する。図１１及び図１２は本発明の第７実施例を示すものであり、第６実施例と同一部分には同一符号を付して説明を省略し、以下異なる部分についてのみ説明する。第７実施例では、携帯電話装置４３は、電話部１２ａと同様に構成される電話部４３ａを備え、ＩＣタグ１３に代えて、第９実施例のメモリカード４１のようにメモリーカードの規格に準拠した形態のメモリーカード（データ記録媒体）４４を収納するように構成されている。
【００７２】
このメモリーカード４４、一般的なメモリーカードの構成であり、必要なデータを記憶させるためのメモリー４５と、そのメモリー４５に対して書き込み及び読出しを行う制御部４６とを備えている。そして、電話部４３ａの制御部１８は、メモリーカード４４の制御部４６を介してメモリー４５にデータを書き込むことができるようになっている。
【００７３】
一方、図１２に示す通信装置４７は、ＩＣタグ１３を収納可能に構成されている。そして、通信装置４７本体として、電話部１２ａの制御部１８及び電源部１００と同様の制御部４８及び電源部４９を備えている。更に、通信装置４７は、メモリーカード４４をも収納可能に構成されている。
【００７４】
通信装置４７は、メモリーカード４４が収納されると電源部４９によって動作用電源を供給するようになっている。そして、制御部４８は、メモリーカード４４の制御部４６を介してメモリー４５のデータを読み出すことができるようになっている。また、電源部４９は、電源部１００と同様に制御部４８がＩＣタグ１３のメモリ−２０にデータを書き込む場合だけＩＣタグ１３に動作用電源を供給するようになっている。
【００７５】
次に、第７実施例の作用について説明する。第７実施例では、ユーザは携帯電話装置４３により第１実施例と同様に、販売センター１５と通信することで電子マネーデータを取得すると、その電子マネーデータをメモリーカード４４のメモリー４５に書き込む。そして、データを書き込んだメモリーカード４４を携帯電話装置４３より取り外すと、取り外したメモリーカード４４を通信装置４７に収納する。
【００７６】
すると、通信装置４７の制御部４８は、メモリーカード４４のメモリー４５から電子マネーデータを読み出して、そのデータをＩＣタグ１３のメモリー２０に書き込む。その後は第１実施例と同様に、通信装置４７を携帯したユーザがレジスター１１を利用する際には、レジスター１１とＩＣタグ１３との間で通信が行われる。
【００７７】
以上のように第７実施例によれば、ユーザが、携帯電話装置４３によって販売センター１５と通信を行うことで電子マネーデータを取得すると、携帯電話装置４３が取得したデータをメモリカード４４に書き込み、ユーザが、そのメモリーカード４４を通信装置４７に収納させた状態でレジスター１１を利用するようにした。従って、第１実施例と同様の効果が得られる。
【００７８】
（第８実施例）
第１実施例と異なるところのみ以下説明する。図１３は、第１実施例におけるＩＣタグ１３に対して、例えばプリペイドカードのように施設などの利用可能な金額情報が電子マネーとして書き込まれている例であり、ユーザが、レジスター１１を通過する毎に利用金額が減算されて、ＩＣタグ１３のメモリー２０のデータが書き換えられる場合の例である。この場合、電子マネーとしては、ＩＣタグ１３側のデータを書き換えることによるセキュリティを向上させるため、セキュリティ情報も含まれている。
【００７９】
即ち、ユーザがレジスター１１に接近し、携帯電話装置１２内部のＩＣタグ１３が起動信号を受信すると、制御部１９が起動してメモリー２０に記憶されているセキュリティ情報を読み出し、レジスター１１側に送信する。セキュリティ情報を受信したレジスター１１の制御部２３は、そのセキュリティ情報が適格なもの（即ち、適性に使用されているもの）であるかを確認すると、ＩＣタグ１３側に確認応答を送信する。確認応答を受信したＩＣタグ１３は、メモリー２０に記憶されている利用可能金額情報を読み出し、レジスター１１側に送信する。
【００８０】
利用可能金額情報を受信したレジスター１１の制御部２３は、その利用可能金額から今回の利用金額を減算し、残金額情報をＩＣタグ１３側に送信する。また、この場合、受信した利用可能金額が今回の利用金額に満たない場合には、利用不能であることを示す応答をＩＣタグ１３に返し、改札のゲートを閉状態のままにしてユーザの通過を禁止する。
【００８１】
残金額情報を受信したＩＣタグ１３は、その情報をメモリー２０に書き込んで記憶させると、受信応答をレジスター１１側に送信する。そして、レジスター１１の制御部２３は、改札のゲートを開いてユーザの通過を許可する。
【００８２】
以上のように第８実施例によれば、ＩＣタグ１３がプリペイドカードのように利用可能な金額情報が書き換えられる場合でも、本発明を同様に適用することができる。
【００８３】
（第９実施例）
第１実施例と異なるところのみ以下説明する。精算前の商品情報を商品や商品の容器などに付いている商品用ＩＣタグより直接レジスター１１が受信する。  商品用ＩＣタグとレジスター１１との交信は、どちらが主導権をとるものでも構わない。なお、この場合商品用タグは商品もしくはそのパッケージに内蔵しているもの、商品に繋がっているもので精算後取り外しののち再利用できるものでも構わない。なお、商品用ＩＣタグは上記ＩＣタグ１３ほどのセキュリテイレベルは必要ではないのが一般的である。
【００８４】
その状態で、レジスター１１は電子マネーの残高をＩＣタグ１３から受信する。その上で、レジスター１１の制御部２３は、電子マネーの残高を確認する。そして、その残高が商品を全て購入するのに可能なものである場合、制御部２３は、精算を行い購入金額だけ電子マネーの残高を減らし、もしその残高が商品を全て購入するのに不足な場合は、精算できない旨の表示を行うと同時、もしくは相前後して商品情報をＩＣタグ１３に送信する。この様に、上記ＩＣタグ１３は電子マネーを貨幣の様に取り扱うので、セキュリテイレベルが高いのが一般的である。送信する商品情報は決済後も記憶している精算済みの商品情報が購入者が利用できる情報と購入確認情報だけなので、全部の商品情報ではなく、これらの情報のみを保存のときの商品情報とするだけの商品情報を送信するのが一般的である。
【００８５】
尚、図１４に示す通信シーケンスは、図３に示すフローに従ってユーザが一旦ＩＣタグ１３に電子マネーを書き込めば、ＩＣタグ１３を携帯電話装置１２より取り外しユーザがＩＣタグ１３だけを携帯してレジスター１１を通過する場合でも、全く同様に通信が行われることは言うまでもない。
【００８６】
さらに、レジスター１１では商品情報と電子マネーの残高を用いて精算を行い、携帯電話装置１２の内部のＩＣタグ１３に対して精算金額を減算する処理、並びに、決済済みの商品情報を送信する処理を、携帯電話装置１２の制御部１８がＩＣタグ１３のメモリー２０を変更することによってＩＣタグ１３で受信する商品情報受信手段を行うようにした。
【００８７】
この場合、決済処理は現金の授受と同様な効果があるため、セキュリティ上特に配慮が必要であり、事故が起きない様に通信の暗号化等の他、携帯電話装置１２の内部のＩＣタグ１３の内部の電子マネーの残高とレジスター１１で認識している電子マネーの残高の一貫性については返信信号などにより確実に保証される必要がある。従って、同時送受信するとしても、商品情報とセキュリティレベルを変えるのが一般的である。
【００８８】
以上のように第９実施例によれば、携帯電話装置１２の内部にＩＣタグ１３を収納して、そのＩＣタグ１３を、レジスター１１より送信される起動信号によって動作用電力の供給を受けてレジスター１１との通信が可能となるように構成した。
【００８９】
さらに、ＩＣタグ１３が記憶するメモリー２０は、実施例１と違い決済済みの商品情報で、しかも購入者が利用できる情報と購入確認情報だけなので、メモリー容量が少なくて済む。
【００９０】
（第１０実施例）
第１実施例と異なるところのみ以下説明する。図１５は、第１実施例におけるＩＣタグ１３に対して、例えばプリペイドカードのように施設などの利用可能な金額情報が電子マネーとして書き込まれている例であり、ユーザが、レジスター１１を通過する毎に利用金額が減算されて、ＩＣタグ１３のメモリー２０のデータが書き換えられる場合の例である。この場合、電子マネーとしては、ＩＣタグ１３側のデータを書き換えることによるセキュリティを向上させるため、セキュリティ情報も含まれている。
【００９１】
即ち、ユーザがレジスター１１に接近し、携帯電話装置１２内部のＩＣタグ１３が起動信号を受信すると、制御部１９が起動してメモリー２０に記憶されているセキュリティ情報を読み出し、レジスター１１側に送信する。セキュリティ情報を受信したレジスター１１の制御部２３は、そのセキュリティ情報が適格なもの（即ち、適性に使用されているもの）であるかを確認すると、ＩＣタグ１３側に確認応答を送信する。確認応答を受信したＩＣタグ１３は、メモリー２０に記憶されている利用可能金額情報を読み出し、レジスター１１側に送信する。
【００９２】
利用可能金額情報を受信したレジスター１１の制御部２３は、その利用可能金額から今回の利用金額を減算し、残金額情報をＩＣタグ１３側に送信する。また、この場合、受信した利用可能金額が今回の利用金額に満たない場合には、利用不能であることを示す応答をＩＣタグ１３に返し、改札のゲートを閉状態のままにしてユーザの通過を禁止する。
【００９３】
残金額情報を受信したＩＣタグ１３は、その情報をメモリー２０に書き込んで記憶させると、受信応答をレジスター１１側に送信する。そして、レジスター１１の制御部２３は、改札のゲートを開いてユーザの通過を許可する。
【００９４】
以上のように第１０実施例によれば、ＩＣタグ１３がプリペイドカードのように利用可能な金額情報が書き換えられる場合でも、本発明を同様に適用することができる。
【００９５】
本発明は上記した各実施例にのみ限定されるものではなく、次のような変形または拡張が可能である。ＩＣタグ１３に対する動作用電源を、電力作成部２６と電源部１００との論理和を取る形態で供給するように構成しても良い。また、例えば第１実施例において、レジスター１１を通過する際に携帯電話装置１２の電源が供給されている場合には、電源部１００よりＩＣタグ１３に動作用電源を供給するように構成しても良い。
【００９６】
この様に構成すれば、レジスター１１と携帯電話装置１２との通信距離をより長くすることができるので、ユーザは、携帯電話装置１２をポケットや鞄の中などから取り出してレジスター１１に近付けたりすることなくそのままの状態でも利用することが可能となり、利便性を向上させることができる。
【００９７】
電子マネーがスキー場の利用回数券である場合は、利用回数情報と共にその電子マネーのＩＤ情報をレジスター１１側に送信し、レジスター１１側でそれらの情報を回数券の有効期間内だけ記憶しておく。そして、ユーザがレジスター１１を通過する毎に、レジスター１１側に記憶させておいた利用回数情報をデクリメントして行くようにすれば良い。或いは、第１１実施例のように、ＩＤタグ１３側でメモリー２０の内容を毎回書き替えるようにしても良い。また、利用日が予め指定されていない２日券，３日券などについても、
同様に処理すれば良い。
【００９８】
第２実施例のステップＢ９において、通話とデータ通信とを並行して行うことができない携帯電話システムでは、一旦オペレータとの通話を終了した直後にデータ通信を行うことでチケット購入情報を送信するようにすれば良い。空中伝搬信号信号は、電波信号に限ること無く磁気信号などでも良い。携帯電話装置は、ＰＨＳ（Ｐｅｒｓｏｎａｌ  Ｈａｎｄｙｐｈｏｎｅ  Ｓｙｓｔｅｍ）も含むものとする。
【産業上の利用可能性】
【００９９】
本発明は、コンビニエンスストアーやスーパーマーケットの様なセルフサービス形式を主体とした様な各種小売店における携帯電話を用いて仮想的通貨価値である電子マネーを用いた商品購入システムに関する。
【図面の簡単な説明】
【０１００】
【図１】本発明の第１実施例であり、商品購入システム全体の構成を示す機能ブロック図である。
【図２】携帯電話装置及びＩＣタグの外観構成を示す（ａ）平面図、および（ｂ）底面図である。
【図３】システムのユーザが携帯電話装置により電子マネーを購買する場合の処理を示すフローチャートである。
【図４】ユーザがレジスターを通過する場合に、ＩＣタグとの間で行われる通信シーケンスを示す図である。
【図５】本発明の第２実施例を示す図３相当図である。
【図６】本発明の第３実施例を示す図１相当図である。
【図７】本発明の第４実施例を示す図１相当図である。
【図８】本発明の第５実施例を示す図１相当図である。
【図９】本発明の第６実施例を示す図１相当図である。
【図１０】電子マネーが書き込まれたＩＣタグを他の製品に挿入して商品購入システムに使用する場合を示す機能ブロック図である。
【図１１】本発明の第７実施例であり、携帯電話装置に内蔵されるメモリーカードにデータを書き込む場合を示す機能ブロック図である。
【図１２】電子マネーが書き込まれたメモリーカードを他の製品に挿入して商品購入システムに使用する場合を示す機能ブロック図である。
【図１３】本発明の第８実施例を示す図４相当図である。
【図１４】本発明の第９実施例を示す図４相当図である。
【図１５】本発明の第１０実施例を示す図４相当図である。
【符号の説明】
【０１０１】
１１・・・レジスター
１２，１２Ａ・・・携帯電話装置
１３，１３Ａ・・・ＩＣタグ
１５・・・電子マネー販売センター
２０・・・メモリー（記憶手段）
２７・・・携帯電話装置
２９，２９Ａ，３１・・・携帯電話装置
３２・・・Ｂｌｕｅｔｏｏｔｈ通信部
３４・・・マネー端末
３５・・・携帯電話装置
３６・・・Ｂｌｕｅｔｏｏｔｈ通信部
３８・・・マネー端末
４０・・・携帯電話装置
４１・・・メモリーカード（ＩＣタグ）
４２・・・製品
４３・・・携帯電話装置
４４・・・メモリーカード（データ記録媒体）
４７・・・通信装置
【図１】
2005267165.tif 000003
【図２】
2005267165.tif 000004
【図３】
2005267165.tif 000005
【図４】
2005267165.tif 000006
【図５】
2005267165.tif 000007
【図６】
2005267165.tif 000008
【図７】
2005267165.tif 000009
【図８】
2005267165.tif 000010
【図９】
2005267165.tif 000011
【図１０】
2005267165.tif 000012
【図１１】
2005267165.tif 000013
【図１２】
2005267165.tif 000014
【図１３】
2005267165.tif 000015
【図１４】
2005267165.tif 000016
【図１５】
2005267165.tif 000017